(57)【要約】      （修正有）【課題】収集業者やクリーンセンターとの情報共有を可能にするごみステーション管理システムを提供する。【解決手段】複数のごみステーションを管理するための管理サーバ１０は、情報を記憶可能な記憶部６１に対し、情報の閲覧を管理する閲覧管理６４を備える。情報には、ごみステーションの設定に関する情報を表す設定情報６１Ａと、ごみステーションの変更に関する情報を表す変更情報６１Ｂと、ごみステーションの廃止に関する情報を表す廃止情報６１Ｃと、ごみステーションについての問い合わせに関する情報を表す問い合わせ情報６１Ｘとが含まれる。閲覧管理部６５は、複数のごみステーションを管理するステーション管理者、ごみステーションに出されたごみを収集する収集業者、及び、収集業者によって収集されたゴミを受け取るクリーンセンターのうち、収集業者については、問い合わせ情報への閲覧を規制する。【選択図】図３
2016218971.tif 000002
【特許請求の範囲】
【請求項１】
複数のごみステーションを管理するためのごみステーション管理システムであって、
情報を記憶可能な記憶手段に対し、前記情報の閲覧を管理する閲覧管理手段を備え、
前記情報には、
前記ごみステーションの設定に関する情報を表す設定情報と、
前記ごみステーションの変更に関する情報を表す変更情報と、
前記ごみステーションの廃止に関する情報を表す廃止情報と、
前記ごみステーションについての問い合わせに関する情報を表す問い合わせ情報とが含まれ、
前記閲覧管理手段は、
前記複数のごみステーションを管理するステーション管理者、前記ごみステーションに出されたごみを収集する収集業者、及び、前記収集業者によって収集された前記ゴミを受け取るクリーンセンターのうち、
前記ステーション管理者及び前記クリーンセンターに対しては前記記憶手段に記憶された情報への閲覧を許容し、
前記収集業者に対しては、前記設定情報、前記変更情報、及び前記廃止情報への閲覧を許容する一方、前記問い合わせ情報への閲覧を規制することを特徴とするごみステーション管理システム。
【請求項２】
前記閲覧管理手段は、前記収集業者に対し、前記設定情報、前記変更情報、及び前記廃止情報の閲覧を許可するとともに、前記設定情報、前記変更情報、及び前記廃止情報を時系列に表示することを特徴とする請求項１記載のごみステーション管理システム。
【請求項３】
システムへのログインを管理するログイン管理部を備えたことを特徴とする請求項１または２項記載のごみステーション管理システム。
【請求項４】
複数のごみステーションを管理するためのごみステーション管理システムであって、
前記ごみステーションの設定に関する情報を表す設定情報と、前記ごみステーションの変更に関する情報を表す変更情報と、前記ごみステーションの廃止に関する情報を表す廃止情報と、を記憶可能な記憶手段において、前記設定情報、前記変更情報、及び前記廃止情報のうち少なくとも１つが記憶された旨の通知を、前記ごみステーションに出されたごみを収集する収集業者、及び前記収集業者によって収集された前記ゴミを受け取るクリーンセンターへ行う通知手段を備え、
前記通知手段は、
複数のごみステーションを管理するステーション管理者の操作によって、前記設定情報、前記変更情報、及び前記廃止情報のうち少なくとも１つが前記記憶手段に記憶されたことを条件に、
前記クリーンセンターへは前記通知を行う一方、
前記収集業者へは、前記通知を行う前に、通知先候補の前記収集業者の情報を前記ステーション管理者へ表示することを特徴とするごみステーション管理システム。
【請求項５】
前記通知手段は、前記通知先候補の表示後、前記ステーション管理者から受け付けた選択結果に基づいて、前記収集業者へ前記通知を行うことを特徴とする請求項４記載のごみステーション管理システム。
【発明の詳細な説明】
【技術分野】
【０００１】
本発明は、ごみステーション管理システムに関する。
【背景技術】
【０００２】
家庭から出たごみは、ごみステーションに出され、収集業者によって、クリーンセンターへ集約される。そして、クリーンセンターでは、集約されたゴミをその種類に応じて、所定の処分を行う。ごみステーションは、市や町などの自治体によって、所定のエリアごとに予め設定される。したがって、当該エリアの住民に対して、当該エリアのごみステーションの位置や、ごみの収集スケジュールを案内するシステムが知られている（例えば、特許文献１）。
【先行技術文献】
【特許文献】
【０００３】
【特許文献１】特開２００１−１２５４７９号公報
【発明の概要】
【発明が解決しようとする課題】
【０００４】
ところで、ごみステーションを利用したごみ収集を運用する中で、利用者の要望や、行政側や収集業者の都合により、ごみステーションの変更、分割や廃止などがある。ごみステーションの変更、分割や廃止は、通常、自治体側が行うものである。このため、ごみステーションの変更等が起こった場合、収集業者やクリーンセンターへの情報共有が困難であった。
【０００５】
本発明は、斯かる実情に鑑み、収集業者やクリーンセンターとの情報共有を可能にするごみステーション管理システムを提供しようとするものである。
【課題を解決するための手段】
【０００６】
本発明は、複数のごみステーションを管理するためのごみステーション管理システムであって、情報を記憶可能な記憶手段に対し、前記情報の閲覧を管理する閲覧管理手段を備え、前記情報には、前記ごみステーションの設定に関する情報を表す設定情報と、前記ごみステーションの変更に関する情報を表す変更情報と、前記ごみステーションの廃止に関する情報を表す廃止情報と、前記ごみステーションについての問い合わせに関する情報を表す問い合わせ情報とが含まれ、前記閲覧管理手段は、前記複数のごみステーションを管理するステーション管理者、前記ごみステーションに出されたごみを収集する収集業者、及び、前記収集業者によって収集された前記ゴミを受け取るクリーンセンターのうち、前記ステーション管理者及び前記クリーンセンターに対しては前記記憶手段に記憶された情報への閲覧を許容し、前記収集業者に対しては、前記設定情報、前記変更情報、及び前記廃止情報への閲覧を許容する一方、前記問い合わせ情報への閲覧を規制することを特徴とする。
【０００７】
前記閲覧管理手段は、前記収集業者に対し、前記設定情報、前記変更情報、及び前記廃止情報の閲覧を許可するとともに、前記設定情報、前記変更情報、及び前記廃止情報を時系列に表示することが好ましい。また、システムへのログインを管理するログイン管理部を備えたことが好ましい。
【０００８】
本発明は、複数のごみステーションを管理するためのごみステーション管理システムであって、前記ごみステーションの設定に関する情報を表す設定情報と、前記ごみステーションの変更に関する情報を表す変更情報と、前記ごみステーションの廃止に関する情報を表す廃止情報と、を記憶可能な記憶手段において、前記設定情報、前記変更情報、及び前記廃止情報のうち少なくとも１つが記憶された旨の通知を、前記ごみステーションに出されたごみを収集する収集業者、及び前記収集業者によって収集された前記ゴミを受け取るクリーンセンターへ行う通知手段を備え、前記通知手段は、複数のごみステーションを管理するステーション管理者の操作によって、前記設定情報、前記変更情報、及び前記廃止情報のうち少なくとも１つが前記記憶手段に記憶されたことを条件に、前記クリーンセンターへは前記通知を行う一方、前記収集業者へは、前記通知を行う前に、通知先候補の前記収集業者の情報を前記ステーション管理者へ表示することを特徴とする。
【０００９】
前記通知手段は、前記通知先候補の表示後、前記ステーション管理者から受け付けた選択結果に基づいて、前記収集業者へ前記通知を行うことが好ましい。
【発明の効果】
【００１０】
本発明によれば、収集業者やクリーンセンターとの情報共有を可能にするごみステーション管理システムを提供することができる。
【図面の簡単な説明】
【００１１】
【図１】ごみステーション管理システムの概要を示す説明図である。
【図２】管理サーバのハードウェア構成図である。
【図３】管理サーバの機能ブロック図である。
【図４】（Ａ）は、設定情報の概要を示す説明図である。（Ｂ）〜（Ｄ）は、それぞれ、変更情報、廃止情報、特別収集指示情報の概要を示す説明図である。
【図５】（Ａ）は、問い合わせ情報の概要を示す説明図である。（Ｂ）は、履歴情報の概要を示す説明図である。
【図６】設定情報が記憶された場合の管理サーバの動作を示すフローチャートである。
【発明を実施するための形態】
【００１２】
図１に示すように、ごみステーション管理システム２は、複数のごみステーションを管理するための管理サーバ１０を備える。管理サーバ１０は、複数のごみステーションの管理者である市役所２０の端末、ごみステーションに出されたごみを収集する収集業者３０の端末、及び収集業者３０によって収集されたゴミを受け取るクリーンセンター４０の端末に対し、通信回線５０によって接続されている。
【００１３】
図２に示すように、管理サーバ１０は、ＣＰＵ１１と、ＲＡＭ１２と、ＲＯＭ１３と、外部記憶装置１４と、入力装置１５と、表示装置１６と、入出力インターフェース１８と、バス１９と、を備えている。
【００１４】
ＣＰＵ１１は、いわゆる中央演算処理装置であり、各種プログラムが実行されて管理サーバ１０の各種サービスを実現する。ＲＡＭ１２は、いわゆるＲＡＭ（ランダム・アクセス・メモリ）であり、ＣＰＵ１１の作業領域として使用される。ＲＯＭ１３は、いわゆるＲＯＭ（リード・オンリー・メモリ）であり、ＣＰＵ１１で実行される基本ＯＳや各種プログラム（例えば、ごみステーション管理プログラム）を記憶する。
【００１５】
外部記憶装置１４は、各種プログラムの演算結果などを記憶するものであり、内蔵型の記憶装置（例えば、ハードディスクドライブ）、着脱可能な記憶装置（例えば、メモリーカード等）がある。なお、外部記憶装置１４としては、ＮＡＳ（ネットワークアタッチストレージ）のように、通信回線５０経由で接続されるものでもよい。
【００１６】
入力装置１５は、入力キーやキーボード、マウスであり、各種情報を入力する。表示装置１６は、ディスプレイであり、各種動作状態を表示する。
【００１７】
入出力インターフェース１８は、通信回線５０（図１）における通信を可能にするものである。バス１９は、ＣＰＵ１１、ＲＡＭ１２、ＲＯＭ１３、入力装置１５、表示装置１６、入出力インターフェース１８などを一体的に接続して通信を行う配線となる。
【００１８】
ＲＯＭ１３に記憶された基本ＯＳや各種プログラムがＣＰＵ１１によって実行されると、図３に示すように、管理サーバ１０は、各種情報を記憶できる記憶部６１と、管理サーバ１０へのログインを管理するログイン管理部６２と、記憶部６１への各種情報の入力を管理する入力管理部６３と、記憶部６１の更新を通知する通知部６４と、記憶部６１への閲覧を管理する閲覧管理部６５と、履歴情報の生成や更新を行う履歴部６８と、を備える。
【００１９】
記憶部６１に記憶される各種情報としては、ごみステーションの設定に関する情報を表す設定情報６１Ａ、設定されたごみステーションの変更に関する情報を表す変更情報６１Ｂ、ごみステーションの廃止に関する情報を表す廃止情報６１Ｃ、個別の収集を行う指示内容に関する情報を表す特別収集指示情報６１Ｄ、ごみステーションに関する問い合わせ内容に関する情報を表す問い合わせ情報６１Ｘや、履歴情報６１Ｙ等がある。
【００２０】
図４に示すように、設定情報６１Ａには、１つごみステーションごとに割り与えられる固有のステーションＮｏ（図では、「ＳＴ０００１」）、ごみステーションが設定された日時や、設定作業者の氏名、ステーションを担当する収集業者の名称、ごみステーションに関する静止画像データや動画データなどの各種情報が含まれる。変更情報６１Ｂには、ステーションＮｏ、変更日時や、変更作業者の氏名、ステーションを担当する収集業者の名称、ごみステーションに関する静止画像データや動画データなどの各種情報が含まれる。ここで、設定情報６１Ａや変更情報６１Ｂにおける収集業者の名称としては、１つの業者のものに限られず、複数の収集業者のものであってもよい。廃止情報６１Ｃには、ステーションＮｏ、廃止日時や、廃止作業者の氏名などの各種情報が含まれる。特別収集指示情報６１Ｄには、１件の特別収集指示ごとに割り当てられる固有のＩＤ、ステーションＮｏ、ステーションＮｏに関する収集日時、収集結果、当該特別収集に関する静止画像データや動画データなどの各種情報が含まれる。各情報６１Ａ〜６１Ｄの入力は、市役所２０の市役所職員２０Ｚ、クリーンセンター４０のクリーンセンター職員４０Ｚのみ入力が可能である。
【００２１】
図５に示すように、問い合わせ情報６１Ｘには、１件の問い合わせごとに割り当てられる固有のＩＤ、ステーションＮｏ、ステーションＮｏに関する問い合わせ日時、問い合わせ者の氏名、問い合わせ内容や、対応結果などの各種情報が含まれる。問い合わせ情報６１Ｘの入力は、市役所２０の市役所職員２０Ｚ、及びクリーンセンター４０のクリーンセンター職員４０Ｚが可能である。
【００２２】
履歴情報６１Ｙには、ステーションＮｏ、設定情報６１Ａ、変更情報６１Ｂ、廃止情報６１Ｃの他、特別収集指示情報６１Ｄや問い合わせ情報６１Ｘが含まれる。これらの各種情報は、ステーションＮｏによって関連付けられ、時系列に表示される。履歴情報６１Ｙは、各種情報６１Ａ〜６１Ｘが記憶部６１に記憶されたことを条件に、履歴部６８によって自動的に生成、更新される。
【００２３】
図３に戻って、ログイン管理部６２は、システムへのログイン要求を受け付けるとともに、要求元に応じて、ログインを許可するか否かを判定する。本実施形態では、市役所２０の市役所職員２０Ｚ、クリーンセンター４０のクリーンセンター職員４０Ｚ、収集業者３１の収集担当者３１Ｚと、収集業者３２の収集担当者３２ＺＢのログインを許可し、それ以外の者のログインを禁止する設定となっている。
【００２４】
入力管理部６３は、各種情報の入力操作者をログイン管理部６２から入手する。さらに、入力管理部６３は、各種情報の入力操作者に基づいて、当該操作に基づく各種情報の入力を許可するか否かを判定し、入力を許可する場合には当該操作による基づく各種情報を記憶部６１へ記憶する。本実施形態において、設定情報６１Ａ、変更情報６１Ｂ、廃止情報６１Ｃ、特別収集指示情報６１Ｄや問い合わせ情報６１Ｘに関して、入力管理部６３は、市役所職員２０Ｚ及びクリーンセンター職員４０Ｚによる入力操作を許可し、収集担当者３１Ｚ〜３２Ｚによる入力操作を禁止する。
【００２５】
通知部６４は、市役所職員２０Ｚの操作によって、設定情報６１Ａ、変更情報６１Ｂ、及び廃止情報６１Ｃのいずれかが記憶部６１に記憶されたことを条件に、前述の情報が記憶部６１に記憶されたことをクリーンセンター４０へ通知する。さらに、通知部６４は、市役所職員２０Ｚの操作によって、設定情報６１Ａ、変更情報６１Ｂ、及び廃止情報６１Ｃが記憶部６１に記憶されたことを条件に、収集業者３０の候補を市役所職員２０Ｚの端末へ表示する。市役所職員２０Ｚの端末へ表示される収集業者３０の候補としては、当該情報に定義された収集業者を用いてもよいし、別の情報（例えば、ステーションＮｏと、収集業者名とが関連付けられた情報）を利用してもよい。そして、通知部６４は、市役所職員２０Ｚの操作によって選択された収集業者に対し、前述の情報が記憶部６１に記憶されたことを通知する。
【００２６】
閲覧管理部６５は、記憶部６１に記憶された各種情報の閲覧を管理するものであり、市役所職員２０Ｚ及びクリーンセンター職員４０Ｚに対しては、すべての情報の閲覧を許可する一方、収集業者３１Ｚ〜３２Ｚに対しては、設定情報６１Ａ、変更情報６１Ｂ、廃止情報６１Ｃ、及び特別収集指示情報６１Ｄの閲覧を許可し、問い合わせ情報６１Ｘ及び履歴情報６１Ｙの閲覧を禁止する設定となっている。
【００２７】
履歴部６８は、各種情報６１Ａ〜６１Ｘを、ステーションＮｏによって関連付けて、履歴情報６１Ｙを生成するものである。
【００２８】
次に、ごみステーション管理システム２の利用方法について説明する。
【００２９】
市役所職員２０Ｚは、所定の端末を通して、管理サーバ１０へのログイン要求を行う。ログイン管理部６２は、市役所職員２０Ｚに対し、システムへのログインを許可する（図６のＳ１００）。
【００３０】
ここで、ごみステーションを新規に設定する場合、市役所職員２０Ｚは、所定の操作によって、新規のごみステーションに関する情報を入力する。これにより、記憶部６１には、入力情報に基づいた新たな設定情報６１Ａが記憶される。通知部６４は、設定情報６１Ａ等が記憶部６１に記憶されたか否かを判定する（図６のＳ１１０）。
【００３１】
設定情報６１Ａ等が記憶部６１に記憶されたと判定された場合には、通知部６４は、設定情報６１Ａが記憶部６１に記憶されたことを、クリーンセンター４０へ通知する（図６のＳ１２０）。
【００３２】
さらに、通知部６４は、収集業者３０の候補を表示する（図６のＳ１３０）。例えば、新たに設定したごみステーションの場所が、複数の収集業者の管轄エリアに含まれる場合には、当該複数の収集業者の名前が市役所職員２０Ｚの端末へ表示される。例えば、当該ごみステーションに関し、可燃ごみ担当が収集業者３１で、不燃ごみ担当が収集業者３２の場合には、両方を表示するとともに、収集業者３１〜３２の選択を受け付ける（図６のＳ１４０）。このとき、市役所職員２０Ｚは、表示された当該複数の収集業者の中から、いずれか一方または両方を選択することができる（図６のＳ１５０）。その後、通知部６４は、市役所職員２０Ｚの操作によって選択された収集業者に対し、前述の情報が記憶部６１に記憶されたことを通知する（図６のＳ１６０）。
【００３３】
通知を受けた収集業者３０は、所定の端末を通して、管理サーバ１０へのログイン要求を行う。ログイン管理部６２は、収集業者３０に対し、システムへのログインを許可する。
【００３４】
その後、閲覧管理部６５は、収集業者３０に対し、記憶部３０に記憶された情報のうち、設定情報６１Ａ、変更情報６１Ｂ、廃止情報６１Ｃ、及び特別収集指示情報６１Ｄの閲覧を許可し、それ以外の情報（例えば、問い合わせ情報６１Ｘや、履歴情報６１Ｙ）の閲覧を禁止する。
【００３５】
こうして、ごみステーションを新規に設定する場合、設定された情報は、クリーンセンター職員４０Ｚのみならず、関連する収集業者の担当者にも通知され、閲覧可能となる。したがって、ごみステーションの最新情報について、三者の情報共有を図りながらも、不要な情報の配信を抑えることができる。
【００３６】
上記実施形態では、ごみステーションを新規に設定する場合について説明したが、ごみステーションの変更や廃止、そして、特別収集の指示を行う場合も、ごみステーションを新規に設定する場合と同様の処理を行うことができる。したがって、本発明によれば、あらゆる場合においても、三者の情報共有を図りながらも、不要な情報の配信を抑えることができる。
【００３７】
上記実施形態では、収集業者３１Ｚ〜３２Ｚに対する履歴情報６１Ｙの閲覧規制については、履歴情報６１Ｙ全体の閲覧を禁止したが、本発明はこれに限られず、履歴情報６１Ｙのうち、問い合わせ情報６１Ｘの部分のみを閲覧禁止としてもよい。
【００３８】
尚、本発明は、上記した実施の形態に限定されるものではなく、本発明の要旨を逸脱しない範囲内において種々変更を加え得ることは勿論である。
【符号の説明】
【００３９】
２    ごみステーション管理システム
１０  管理サーバ
６１  記憶部
６２  ログイン管理部
６３  通知部
６４  閲覧管理部
６８  履歴部
【図１】
2016218971.tif 000003
【図２】
2016218971.tif 000004
【図３】
2016218971.tif 000005
【図４】
2016218971.tif 000006
【図５】
2016218971.tif 000007
【図６】
2016218971.tif 000008
【手続補正書】
【提出日】平成28年10月8日(2016.10.8)
【手続補正１】
【補正対象書類名】特許請求の範囲
【補正対象項目名】全文
【補正方法】変更
【補正の内容】
【特許請求の範囲】
【請求項１】
複数のごみステーションを管理するためのごみステーション管理システムであって、
情報を記憶可能な記憶手段に対し、前記情報の閲覧を管理する閲覧管理手段を備え、
前記情報には、
前記ごみステーションの設定に関する情報を表す設定情報と、
前記ごみステーションの変更に関する情報を表す変更情報と、
前記ごみステーションの廃止に関する情報を表す廃止情報と、が含まれ、
前記閲覧管理手段は、
前記複数のごみステーションを管理するステーション管理者、前記ごみステーションに出されたごみを収集する収集業者、及び、前記収集業者によって収集された前記ごみを受け取るクリーンセンターに対し、前記設定情報、前記変更情報、及び前記廃止情報への閲覧を許容することを特徴とするごみステーション管理システム。
【請求項２】
前記情報には、
前記ごみステーションについての問い合わせに関する情報を表す問い合わせ情報が含まれ、
前記閲覧管理手段は、前記ステーション管理者及び前記クリーンセンターに対し前記問い合わせ情報への閲覧を許容し、
前記収集業者に対し、前記問い合わせ情報への閲覧を規制することを特徴とする請求項１記載のごみステーション管理システム。
【請求項３】
前記閲覧管理手段は、前記収集業者に対し、前記設定情報、前記変更情報、及び前記廃止情報の閲覧を許可するとともに、前記設定情報、前記変更情報、及び前記廃止情報を時系列に表示することを特徴とする請求項１または２記載のごみステーション管理システム。
【請求項４】
複数のごみステーションを管理するためのごみステーション管理システムであって、
前記ごみステーションの設定に関する情報を表す設定情報と、前記ごみステーションの変更に関する情報を表す変更情報と、前記ごみステーションの廃止に関する情報を表す廃止情報と、を記憶可能な記憶手段において、前記設定情報、前記変更情報、及び前記廃止情報のうち少なくとも１つが記憶された旨の通知を、前記ごみステーションに出されたごみを収集する収集業者、及び前記収集業者によって収集された前記ごみを受け取るクリーンセンターへ行う通知手段を備え、
前記通知手段は、
複数のごみステーションを管理するステーション管理者の操作によって、前記設定情報、前記変更情報、及び前記廃止情報のうち少なくとも１つが前記記憶手段に記憶されたことを条件に、
前記クリーンセンターへは前記通知を行う一方、
前記収集業者へは、前記通知を行う前に、通知先候補の前記収集業者の情報を前記ステーション管理者へ表示することを特徴とするごみステーション管理システム。
【請求項５】
前記通知手段は、前記通知先候補の表示後、前記ステーション管理者から受け付けた選択結果に基づいて、前記収集業者へ前記通知を行うことを特徴とする請求項４記載のごみステーション管理システム。
【手続補正２】
【補正対象書類名】明細書
【補正対象項目名】０００６
【補正方法】変更
【補正の内容】
【０００６】
本発明は、複数のごみステーションを管理するためのごみステーション管理システムであって、情報を記憶可能な記憶手段に対し、前記情報の閲覧を管理する閲覧管理手段を備え、前記情報には、前記ごみステーションの設定に関する情報を表す設定情報と、前記ごみステーションの変更に関する情報を表す変更情報と、前記ごみステーションの廃止に関する情報を表す廃止情報と、が含まれ、前記閲覧管理手段は、前記複数のごみステーションを管理するステーション管理者、前記ごみステーションに出されたごみを収集する収集業者、及び、前記収集業者によって収集された前記ごみを受け取るクリーンセンターに対し、前記設定情報、前記変更情報、及び前記廃止情報への閲覧を許容することを特徴とする。
【手続補正３】
【補正対象書類名】明細書
【補正対象項目名】０００７
【補正方法】変更
【補正の内容】
【０００７】
前記情報には、前記ごみステーションについての問い合わせに関する情報を表す問い合わせ情報が含まれ、前記閲覧管理手段は、前記ステーション管理者及び前記クリーンセンターに対し前記問い合わせ情報への閲覧を許容し、前記収集業者に対し、前記問い合わせ情報への閲覧を規制することが好ましい。また、前記閲覧管理手段は、前記収集業者に対し、前記設定情報、前記変更情報、及び前記廃止情報の閲覧を許可するとともに、前記設定情報、前記変更情報、及び前記廃止情報を時系列に表示することが好ましい。
【手続補正４】
【補正対象書類名】明細書
【補正対象項目名】０００８
【補正方法】変更
【補正の内容】
【０００８】
本発明は、複数のごみステーションを管理するためのごみステーション管理システムであって、前記ごみステーションの設定に関する情報を表す設定情報と、前記ごみステーションの変更に関する情報を表す変更情報と、前記ごみステーションの廃止に関する情報を表す廃止情報と、を記憶可能な記憶手段において、前記設定情報、前記変更情報、及び前記廃止情報のうち少なくとも１つが記憶された旨の通知を、前記ごみステーションに出されたごみを収集する収集業者、及び前記収集業者によって収集された前記ごみを受け取るクリーンセンターへ行う通知手段を備え、前記通知手段は、複数のごみステーションを管理するステーション管理者の操作によって、前記設定情報、前記変更情報、及び前記廃止情報のうち少なくとも１つが前記記憶手段に記憶されたことを条件に、前記クリーンセンターへは前記通知を行う一方、前記収集業者へは、前記通知を行う前に、通知先候補の前記収集業者の情報を前記ステーション管理者へ表示することを特徴とする。